(57)【要約】【課題】  ガラス戸やガラス窓のような場所に、手軽に取り外しが可能な断熱材を提供し、住宅の冷暖房費などの節減に寄与する。【解決手段】  波形加工を施された中芯の少なくとも一方に面にライナーを貼り付けた段ボール紙を１枚また複数枚を貼り合わせて保温材１とする。この保温材は、１辺が３０〜１００ｃｍ程度の大きさの段ボール紙個片を上下方向に繋いで用いることも可能であり、倒伏のために、カーテン２を束ねるためのフックなどに係止する手段を付与することも可能である。【選択図】図１
2010168876.tif 000002
【特許請求の範囲】
【請求項１】
波形加工を施された中芯の少なくとも一方に面にライナーを貼り付けた段ボール紙を用いたことを特徴とする、ガラス戸またはガラス窓の保温材。
【請求項２】
一辺が３０ｃｍ〜１００ｃｍの四角形の前記段ボール紙の個片に、前記段ボール紙個片を相互に接続するための手段を付与したことを特徴とする、請求項１に記載のガラス戸またはガラス窓の保温材。
【請求項３】
倒伏防止のために、ガラス戸またはガラス窓のカーテンを束ねる手段に係止する手段を有することを特徴とする、請求項２または請求項３に記載のガラス戸またはガラス窓の保温材。
【請求項４】
前記係止手段は、前記段ボール紙の周縁部に設けられた貫通孔と、前記貫通孔に挿通可能なビスまたは紐状部材の少なくともいずれかを含むことを特徴とする、請求項３に記載のガラス戸またはガラス窓の保温材。
【請求項５】
前記段ボール紙は、前記ライナーの表面に、印刷された模様またはコーティング層の少なくともいずれかを有することを特徴とする、請求項１ないし請求項４の何れかに記載のガラス戸またはガラス窓の保温材。
【発明の詳細な説明】
【技術分野】
【０００１】  本発明は、段ボール紙を応用した、ガラス戸やガラス窓に用いられる保温材に関わるものである。
【背景技術】
【０００２】  冬季の寒冷地においては、寒さが厳しく、一戸建て住宅、中高層の集合住宅のいずれにおいても、各種の暖房器具の利用が生活上欠かせないものであるが、屋外と室内を隔てる壁や窓の断熱効果の有無が、暖房器具の効果に大きな影響を及ぼす。【０００３】  このために、近年の木造一戸建て住宅においては、壁材の中間部にガラス繊維などの断熱材を充填するのが一般的であり、鉄筋コンクリートからなる住宅においても、外断熱、内断熱と称する構造で、壁の内側または外側の少なくとも一方に、断熱層を設けることがなされている。【０００４】  また、住宅のもう一つの構成要素であるガラス戸やガラス窓においては、二重ガラスを用いることで、中間に空気層を形成し、断熱効果を得ることが一部で行われている。また、夜間はカーテンを用いることで断熱効果を得ることも行われている。しかし、これらの方法では、壁における断熱材のような効果を得るのは困難である。【０００５】  一方で、断熱材の材質に目を向けると、現在多用されているのは、ガラス繊維や発泡処理により多孔質とした高分子材料であるが、これらの材料、特に高分子材料は、原料が石油であり、環境への負荷などで問題がある。そして、このような問題の少ない天然の原料を用いた素材で、断熱材に使用し得るものとして、紙が挙げられる。【０００６】  紙の中でも、段ボール紙は、一般に梱包材として用いられているが、製造技術の向上に伴い、遊具などに応用した例も見られる。しかも波形加工を施された中芯と称される部材の少なくとも一方の面に、ライナーと称される紙を貼り付けた構造であることから、保温性に優れる素材である。また、その殆どが回収した古紙から製造され、環境への負荷低減という観点や、近年問題となっているシックハウス症候群の原因物質の放出がないという観点からも極めて有用である。【０００７】  従って、段ボール紙をガラス戸やガラス窓の断熱材として用いれば、軽量であるために、移動や取り外しが容易であることから、昼間の日射しのある時間帯以外のみに取り付けることが可能で、住宅の保温効果向上に資すると考えられる。【０００８】  このような観点から、段ボール紙を住宅の保温に応用した例を見ると、例えば特許文献１には、段ボール紙を主な構成要素とする断熱パネルをコンクリート構造物の壁に固定する技術が開示されている。しかしながら、ここに開示されているのは、ガラス戸やガラス窓を対象としたものではなく、重量がかさむなどの理由で、取り扱いも容易ではないものとなっている。【０００９】
【特許文献１】  特開２００６−００２５６３号公報
【発明の開示】
【発明が解決しようとする課題】
【００１０】  従って、本発明の課題は、ガラス戸やガラス窓のような場所に、手軽に取り外しが可能である断熱材を提供し、住宅の冷暖房費などの節減に寄与することである。
【課題を解決するための手段】
【００１１】  本発明は、前記の課題に鑑み、段ボール紙からなり、軽量で取り外しや、大きさに変更が容易な断熱材の構造を検討した結果なされたものである。【００１２】  即ち、本発明は、波形加工を施された中芯の少なくとも一方に面にライナーを貼り付けた段ボール紙を用いたことを特徴とする、ガラス戸またはガラス窓の保温材である。【００１３】  また、本発明は、一辺が３０ｃｍ〜１００ｃｍの四角形の前記段ボール紙の個片に、前記段ボール紙個片を相互に接続するための手段を付与したことを特徴とする、前記のガラス戸またはガラス窓の保温材である。【００１４】  また、本発明は、倒伏防止のために、ガラス戸またはガラス窓のカーテンを束ねる手段に係止する手段を有することを特徴とする、前記のガラス戸またはガラス窓の保温材である。【００１５】  また、本発明は、前記係止手段が、前記段ボール紙の周縁部に設けられた貫通孔と、前記貫通孔に挿通可能なビスまたは紐状部材の少なくともいずれかを含むことを特徴とする、前記のガラス戸またはガラス窓の保温材である。【００１６】  また、本発明は、前記段ボール紙が、前記ライナーの表面に、印刷された模様またはコーティング層の少なくともいずれかを有することを特徴とする、前記のガラス戸またはガラス窓の保温材である。
【発明の効果】
【００１７】  本発明の保温材は、段ボール紙からなり、小さな個片を接続する手段を有するので、様々なガラス戸やガラス窓に適合したサイズとすることが可能で、カーテンを束ねておくフックなどに繋ぐことも可能なので、高い利便性を有するものである。これによって効果的に住宅の保温性を向上できる。【００１８】  これによって、住宅の暖房用に消費されるガス、灯油、電気が節約できるので、家計支出の削減、資源の保全、ひいては環境への負荷の低減に寄与するばかりでなく、ガス、灯油の燃焼に伴って発生する、人体の健康へ有害なガスの削減にも寄与することができる。
【発明を実施するための最良の形態】
【００１９】  次に本発明の実施の形態について、具体的な図に基づいて説明する。【００２０】  図１は、本発明の保温材の使用状態の一例を示す図である。図１において、１は保温材、２はカーテン、３はガラス、４はガラス戸の枠である。また図３は、図１に示した本発明の保温材１を構成する段ボール紙の断面を示す図である。図３において、９はライナー、１０は中芯である。【００２１】  この例における保温材１は、大きさが、縦が約１ｍ、横が約１ｍで、図３に示したような、いわゆるダブルカートンの段ボール紙から構成されている。この段ボール紙の全体の厚さは約１０ｍｍであり、表面には、防水のためのコーティングが施され、木の葉を抽象化した模様が印刷されている。また、この保温材１は、単にガラス戸に立てかけた状態で用いるが、倒伏防止のために、屏風のような折り目を設けることも可能である。【００２２】  図２は、本発明の段ボール紙個片からなる保温材の一例を示す図である。図２において、５は段ボール紙個片、６は貫通孔、７はリボン、８はカーテンを束ねるベルトのフックである。この例では、段ボール紙個片５の相互の接続と、フック８への係止に、貫通孔６とリボン７を用いている。保温材をこのような構成とすることで、様々なサイズのガラス戸やガラス窓に適用可能で、しかも倒伏の虞のない保温材を提供できる。【００２３】  以上に説明したように本発明によれば、段ボール紙を用いた安価で軽量の保温材を提供でき、省エネルギー、環境への負荷低減に資するところには大きいものがあり、極めて有用である。なお、本発明は、前記実施の形態に限定されるものではなく、本発明の分野における通常の知識を有する者であれば想到し得る、例えば、複数枚の段ボール紙を貼り合わせて用いるなどの、各種変形、修正を含む要旨を逸脱しない範囲の設計変更があっても、本発明に含まれることは勿論である。
【図面の簡単な説明】
【００２４】
【図１】  本発明の保温材の使用状態の一例を示す図
【図２】  本発明の段ボール紙の個片からなる保温材の一例を示す図
【図３】  本発明の保温材を構成する段ボール紙の断面を示す図
【符号の説明】
【００２５】  １  保温材
２  カーテン
３  ガラス
４  ガラス戸の枠
５  段ボール紙個片
６  貫通孔
７  リボン
８  フック
９  ライナー
１０  中芯
【図１】
2010168876.tif 000003
【図２】
2010168876.tif 000004
【図３】
2010168876.tif 000005